(57)【特許請求の範囲】
【請求項１】
被測定者の生体情報のデータを収集する看護支援端末装置であって、
被測定者の生体情報を測定する生体情報測定装置から前記被測定者の前記生体情報を取得する生体情報取得部と、
生体情報を収集するサーバ装置へ前記被測定者の前記生体情報を送信する生体情報送信部と、
前記サーバ装置へ送信されるべき前記生体情報のデータを、前記生体情報測定装置が当該生体情報を測定した、または、前記生体情報取得部が当該生体情報を取得した、時刻と関連づけて保持する記憶部と、
注意喚起のための情報を出力する報知部と、
前記報知部を制御する制御部と、
を有し、
前記制御部は、前記記憶部が２つ以上の前記送信されるべき生体情報のデータを保持している場合において、前記生体情報取得部が最後に取得した生体情報のデータについての前記時刻と、前記最後に取得した生体情報のデータの１つ前に取得した生体情報のデータについての前記時刻との間の時間間隔が所定値を超えている場合に前記注意喚起のための情報を前記報知部に出力させる、ことを特徴とする看護支援端末装置。
【請求項２】
請求項１に記載の看護支援端末装置であって、
さらに、被測定者が装着する記憶媒体から被測定者を識別するための識別情報を取得する識別情報取得部と、
前記識別情報に基づいて被測定者を特定する被測定者特定部と、を有し、
前記時間間隔が前記所定値を超えている場合において前記最後に取得した生体情報のデータと、前記１つ前に取得した生体情報のデータが、前記被測定者特定部が特定した同一の被測定者について測定されたデータである場合に前記制御部は前記注意喚起のための情報を前記報知部に出力させる、ことを特徴とする看護支援端末装置。
【請求項３】
請求項２に記載の看護支援端末装置であって、
前記識別情報取得部は、無線通信により、前記記憶媒体から前記識別情報を取得する、ことを特徴とする看護支援端末装置。
【請求項４】
請求項１ないし３のいずれか１つに記載の看護支援端末装置であって、
前記時間間隔が前記所定値を超えている場合において前記最後に取得した生体情報のデータにかかる測定項目と、前記１つ前に取得した生体情報のデータにかかる測定項目が同一の測定項目である場合に前記制御部は前記注意喚起のための情報を前記報知部に出力させる、ことを特徴とする看護支援端末装置。
【請求項５】
請求項１ないし４のいずれか１つに記載の看護支援端末装置であって、
前記所定値は、３分以上の値である、ことを特徴とする看護支援端末装置。
【請求項６】
請求項１ないし５のいずれか１つに記載の看護支援端末装置であって、
前記制御部は、前記注意喚起のための情報として、視認可能なメッセージ画像を前記報知部に出力させる、ことを特徴とする看護支援端末装置。
【請求項７】
請求項１に記載の看護支援端末装置と、
被測定者に装着されて使用され、被測定者を識別するための識別情報を保持する記憶媒体と、
生体情報を収集するサーバ装置と、を有する、看護支援システム。
【請求項８】
請求項７に記載の看護支援システムであって、
前記記憶媒体は、ＩＣタグである、ことを特徴とする看護支援システム。
【請求項９】
被測定者の生体情報のデータを収集する看護支援端末装置における看護支援方法であって、
被測定者の生体情報を測定する生体情報測定装置から前記被測定者の前記生体情報を取得する生体情報取得ステップと、
生体情報を収集するサーバ装置へ前記被測定者の前記生体情報を送信する生体情報送信ステップと、
前記サーバ装置へ送信されるべき前記生体情報のデータを、前記生体情報測定装置が当該生体情報を測定した、または、前記生体情報取得ステップにおいて当該生体情報を取得した、時刻と関連づけて記憶部に保持する記憶ステップと、
制御部が注意喚起のための情報を報知部に出力させる報知ステップと、
を有し、
前記報知ステップにおいて、前記制御部は、前記記憶部が２つ以上の前記送信されるべき生体情報のデータを保持している場合において、前記生体情報取得ステップで最後に取得した生体情報のデータについての前記時刻と、前記最後に取得した生体情報のデータの１つ前に取得した生体情報のデータについての前記時刻と間の時間間隔が所定値を超えている場合に前記注意喚起のための情報を前記報知部に出力させる、ことを特徴とする看護支援方法。
【請求項１０】
被測定者の生体情報のデータを収集する看護支援端末装置のコンピュータに、
被測定者の生体情報を測定する生体情報測定装置から前記被測定者の前記生体情報を取得する生体情報取得ステップと、
生体情報を収集するサーバ装置へ前記被測定者の前記生体情報を送信する生体情報送信ステップと、
前記サーバ装置へ送信されるべき前記生体情報のデータを、前記生体情報測定装置が当該生体情報を測定した、または、前記生体情報取得ステップにおいて当該生体情報を取得した、時刻と関連づけて記憶部に保持する記憶ステップと、
制御部が注意喚起のための情報を報知部に出力させる報知ステップと、
を実行させ、
前記報知ステップにおいて、前記制御部は、前記記憶部が２つ以上の前記送信されるべき生体情報のデータを保持している場合において、前記生体情報取得ステップで最後に取得した生体情報のデータについての前記時刻と、前記最後に取得した生体情報のデータの１つ前に取得した生体情報のデータについての前記時刻と間の時間間隔が所定値を超えている場合に前記注意喚起のための情報を前記報知部に出力させる、ことを特徴とする看護支援プログラム。
【発明の詳細な説明】
【技術分野】
【０００１】
この発明は、患者の生体情報（体温、血圧等）のデータの収集に用いられる看護支援端末装置に関する。
【０００２】
またこの発明は、患者の生体情報のデータの収集に用いられる看護支援端末装置、および、端末装置とデータ通信可能に接続されて患者の生体情報のデータを端末装置から取得し電子カルテに記録する看護支援サーバ装置を有する看護支援システムに関する。
【０００３】
またこの発明は、看護支援端末装置における看護支援方法および看護支援プログラムに関する。
【背景技術】
【０００４】
従来、この種のシステムとして、例えば特許文献１（特開２００４−３５１０６３号公報）に開示された、バイタルデータの測定を担当するデータ採取者を確認する第１の確認手段と、測定の対象となる患者を確認する第２の確認手段と、患者に装着され測定実施項目を測定する測定手段と、測定手段から得られた測定データを読み込んで一時保持するデータ取得手段と、測定データの転送・記録を指示する指示手段と、測定データの記録が指示された場合に測定データが記録されるデータ蓄積サーバと、を有する患者データ採取管理システムがある。特許文献１のシステムでは、システムがデータ採取者および患者のそれぞれに装着された二次元バーコードを読み取ってデータ採取者および患者を特定する。
【０００５】
特許文献２（特開２０１４−０６８６９６号公報）には、生体情報計測装置（例、体温計）から生体情報を無線で受信する際に患者の識別情報も生体情報計測装置から無線方式によって取得し、取得した識別情報に基づいて患者を特定する生体情報取得装置が開示されている。また、特許文献２には、患者認証方法の一例として生体情報取得装置が患者の手首に装着された電子タグを無線で読み取る手法も挙げられている。
【先行技術文献】
【特許文献】
【０００６】
【特許文献１】特開２００４−３５１０６３号公報
【特許文献２】特開２０１４−０６８６９６号公報
【発明の概要】
【発明が解決しようとする課題】
【０００７】
特許文献１に記載のシステムでは、ユーザが指示手段に対し測定データの転送を指示して初めて、測定データがデータ蓄積サーバへ送られて同サーバ内に記録される。したがって、ユーザが転送の指示を行わない限り、サーバへの測定データの転送・記録は行われず、測定データは未転送の状態に置かれる。
【０００８】
すなわち、従来のシステムにおいては、看護師がデータを測定後、その測定データの転送を忘れ測定データを未転送のままで放置したり、別の患者のデータ測定を行ったりすることがあった。
【０００９】
そこで、この発明の課題は、看護支援のための端末装置による患者の生体情報のデータの収集において上記の問題を回避することができる看護支援端末装置の提供にある。
【００１０】
また、この発明の別の課題は、当該看護支援端末装置を有する看護支援システムの提供にある。
【００１１】
またこの発明のさらに別の課題は、看護支援端末装置における看護支援方法およびプログラムの提供にある。
【課題を解決するための手段】
【００１２】
上記課題を解決するため、この発明の一態様による看護支援端末装置は、
被測定者の生体情報のデータを収集する看護支援端末装置であって、
被測定者の生体情報を測定する生体情報測定装置から被測定者の生体情報を取得する生体情報取得部と、
生体情報を収集するサーバ装置へ被測定者の生体情報を送信する生体情報送信部と、
サーバ装置へ送信されるべき生体情報のデータを、前記生体情報測定装置が当該生体情報を測定した、または、生体情報取得部が当該生体情報を取得した、時刻と関連づけて保持する記憶部と、
注意喚起のための情報を出力する報知部と、
報知部を制御する制御部と、
を有し、
制御部は、記憶部が２つ以上の送信されるべき生体情報のデータを保持している場合において、生体情報取得部が最後に取得した生体情報のデータについての上記時刻と、最後に取得した生体情報のデータの１つ前に取得した生体情報のデータについての上記時刻との間の時間間隔が所定値を超えている場合に注意喚起のための情報を報知部に出力させることを特徴とする。
【００１３】
この発明の一態様による看護支援端末装置では、生体情報取得部が被測定者の生体情報を取得し、生体情報送信部が当該生体情報をサーバ装置へ送信する。生体情報取得部が取得した、サーバ装置へ送信されるべき生体情報のデータは、記憶部に保持される。記憶部に保持される生体情報のデータには、当該生体情報を測定、または、取得した時刻の情報が関連づけされている。記憶部が２つ以上の送信されるべき生体情報のデータを保持している場合において、生体情報取得部が最後に取得した生体情報のデータについての上記時刻と、その１つ前に取得した生体情報のデータについての上記時刻と間の時間間隔が所定値を超えている場合に、制御部は注意喚起のための情報を報知部に出力させる。このような構成により、看護支援端末装置を使用する看護師は、出力された注意喚起のための情報を通じて、看護支援端末装置内に、測定または取得されてから比較的長期にわたり未送信のままの状態に置かれたデータが存在することを認識することができるようになる。また、看護支援端末装置は、未送信のデータが存在する場合であっても、未送信の状態に置かれている期間（上記１つ前の測定のデータが測定または取得されてから最後の測定のデータが測定または取得されるまでの期間）が所定値（予め定めた時間幅）未満であれば、注意喚起のための情報の出力を行わない。その理由は、臨床現場では、生体情報の測定結果に疑義が生じた場合に生体情報の再測定が頻繁に行われるからである。そのようなケースでは、１つ前の測定と最後の測定との時間間隔は比較的短いと考えられる。再測定が試みられる度に看護支援端末装置が注意喚起のための情報を出力すると、ユーザが注意喚起の情報を煩わしく感じる可能性がある。また、業務効率の低下も懸念される。そこで、看護支援端末装置は、２つ以上の送信されるべきデータが存在する場合であっても１つ前のデータが未送信の状態に置かれている期間が所定値未満であるときは注意喚起のための情報の出力を行わないこととし、そうすることによって、ユーザの使い勝手を向上させている。
【００１４】
一実施形態の看護支援端末装置では、さらに、被測定者が装着する記憶媒体から被測定者を識別するための識別情報を取得する識別情報取得部と、識別情報に基づいて被測定者を特定する被測定者特定部と、を有し、上記の時間間隔が所定値を超えている場合において最後に取得した生体情報のデータと、１つ前に取得した生体情報のデータが、被測定者特定部が特定した同一の被測定者について測定されたデータである場合に、制御部が注意喚起のための情報を報知部に出力させてもよい。
【００１５】
この一実施形態の看護支援端末装置では、上記の１つ前に取得した測定のデータ（未送信）が測定または取得されてから最後に測定または取得された測定のデータが測定または取得されるまでの期間が所定値を超えている場合において、最後の測定と１つ前の測定とが共に被測定者特定部が特定した同一の被測定者についてなされた測定である場合に、報知部から注意喚起のための情報が出力される。上述したように、同一の被測定者に対してデータの再測定が試みられたとすれば、最後の測定と１つ前の測定との時間間隔は比較的短いと考えられる。したがって、（被測定者特定部が特定した）同一の被測定者について測定されたにもかかわらず上記の時間間隔が比較的長い場合、２つの測定は、実際には、相異なる被測定者についてなされた２つの測定である可能性がある。つまり、ユーザが先の測定のデータの送信を忘れ、さらに、後の測定に際し被測定者特定部による被測定者の特定が正しくなされなかった可能性がある。そこで、看護支援端末装置は、注意喚起の情報を出力する。逆に、送信されるべき生体情報のデータ（１つ前の測定のデータ）およびさらに別の送信されるべき生体情報のデータ（最後の測定のデータ）がそれぞれ別々の被測定者について測定された生体情報のデータであれば、看護支援端末装置は、両データの取得の時間間隔が所定値を超えている場合においても、注意喚起のための情報を出力しない。そうすることによって、注意喚起の情報が頻繁に出力されることを回避して、ユーザの使い勝手を向上させている。
【００１６】
一実施形態の看護支援端末装置では、識別情報取得部は、無線通信により、記憶媒体から識別情報を取得してもよい。
【００１７】
この一実施形態の看護支援端末装置では、無線通信により被測定者を識別するための識別情報を取得することができる。そのため、極めて高速かつ簡便に被測定者を特定することができる。
【００１８】
一実施形態の看護支援端末装置では、上記の時間間隔が所定値を超えている場合において最後に取得した生体情報のデータにかかる測定項目と、その１つ前に取得した生体情報のデータにかかる測定項目が、同一の測定項目である場合に、制御部は注意喚起のための情報を報知部に出力させてもよい。
【００１９】
この一実施形態の看護支援端末装置では、送信されるべき（未送信の）生体情報のデータ（１つ前に取得した測定のデータ）が取得されてからさらに別の生体情報のデータ（最後に取得した測定のデータ）が取得されるまでの期間が予め定めた時間間隔を超えている場合において、１つ前の測定の測定項目と最後の測定の測定項目とが同一の測定項目である場合に、注意喚起のための情報が出力される。２つの測定の測定項目が同一であることから、上述のデータの再測定が行われた蓋然性が極めて高い。にもかかわらず上記の時間間隔が比較的長い場合、ユーザがデータ送信指示を忘れ、かつ、次の患者の認証が正しく行われなかったことが疑われる。そこで、看護支援端末装置は、注意喚起の情報を出力する。逆に、先の測定の測定項目および次の測定の測定項目が異なる場合には、看護支援端末装置は、両データの取得の時間間隔が所定値を超えている場合においても、注意喚起のための情報を出力しない。なぜなら、異なる測定項目を測定するためにユーザ（看護師）が測定機器を準備するのに比較的長い時間を要したことが考えられるからである。このようにして、看護支援端末装置では、注意喚起の情報が頻繁に出力されることを回避して、ユーザの使い勝手を向上させている。
【００２０】
一実施形態の看護支援端末装置では、所定値は、３分以上の値であってもよい。
【００２１】
この一実施形態の看護支援端末装置では、送信されるべき生体情報のデータ（先の測定のデータ）が取得されてからさらに別の送信されるべき生体情報のデータ（次の測定のデータ）が取得されるまでの期間が例えば３分間を超えている場合に、注意喚起のための情報が出力される。そうすることで、先の測定と次の測定との時間間隔が比較的短い場合には、看護支援端末装置は、注意喚起の情報を出力しないようにして注意喚起の情報が頻繁に出力されることを回避し、ユーザの使い勝手を向上させている。
【００２２】
一実施形態の看護支援端末装置では、制御部は、注意喚起のための情報として、視認可能なメッセージ画像を報知部に出力させてもよい。
【００２３】
この一実施形態の看護支援端末装置では、メッセージ画像を出力することによりユーザに対する注意喚起を行う。そのため、看護支援端末装置を使用するユーザは、当該画像を通じて、直感的に異状が発生したことを認識することができる。
【００２４】
この発明の別の一態様による看護支援システムは、
上記一態様による看護支援端末装置と、
被測定者に装着されて使用され、被測定者を識別するための識別情報を保持する記憶媒体と、
生体情報を収集するサーバ装置と、を有する
ことを特徴とする。
【００２５】
この発明の別の一態様による看護支援システムでは、看護支援端末装置を使用する看護師は、出力された注意喚起のための情報を通じて、看護支援端末装置内に、比較的長期にわたり未送信のままの状態におかれた送信されるべきデータが存在することを認識することができるようになる。また、看護支援端末装置は、未送信のデータが存在する場合であっても、未送信の状態に置かれている期間（１つ前の測定のデータが測定または取得されてから最後の測定のデータが測定または取得されるまでの期間）が予め定めた時間幅未満であれば、注意喚起のための情報の出力を行わない。そうすることによって、ユーザの使い勝手を向上させている。
【００２６】
一実施形態の看護支援システムでは、記憶媒体は、ＩＣタグであってもよい。
【００２７】
この一実施形態の看護支援システムでは、看護支援端末装置は、ＩＣタグから被測定者を識別するための識別情報を取得することができる。そのため、極めて高速かつ簡便に被測定者を特定することができる。
【００２８】
この発明の別の一態様による看護支援方法は、
被測定者の生体情報のデータを収集する看護支援端末装置における看護支援方法であって、
被測定者の生体情報を測定する生体情報測定装置から被測定者の生体情報を取得する生体情報取得ステップと、
生体情報を収集するサーバ装置へ被測定者の生体情報を送信する生体情報送信ステップと、
サーバ装置へ送信されるべき生体情報のデータを、生体情報測定装置が当該生体情報を測定した、または、生体情報取得部が当該生体情報を取得した、時刻と関連づけて記憶部に保持する記憶ステップと、
制御部が注意喚起のための情報を報知部に出力させる報知ステップと、
を有し、
報知ステップにおいて、制御部は、記憶部が２つ以上の送信されるべき生体情報のデータを保持している場合において、生体情報取得ステップで最後に取得した生体情報のデータについての上記時刻と、最後に取得した生体情報のデータの１つ前に取得した生体情報のデータについての上記時刻との間の時間間隔が所定値を超えている場合に注意喚起のための情報を報知部に出力させる、
ことを特徴とする。
【００２９】
この発明の別の一態様による看護支援方法では、看護支援端末装置を使用する看護師は、出力された注意喚起のための情報を通じて、看護支援端末装置内に、比較的長期にわたり未送信のままの状態におかれたデータが存在することを認識することができるようになる。また、看護支援端末装置は、未送信のデータが存在する場合であっても、未送信の状態に置かれている期間（１つ前の測定のデータが測定または取得されてから最後の測定のデータが測定または取得されるまでの期間）が所定値未満であれば、注意喚起のための情報の出力を行わない。そうすることによって、ユーザの使い勝手を向上させている。
【００３０】
この発明の別の一態様による看護支援プログラムは、
被測定者の生体情報のデータを収集する看護支援端末装置のコンピュータに、
被測定者の生体情報を測定する生体情報測定装置から被測定者の生体情報を取得する生体情報取得ステップと、
生体情報を収集するサーバ装置へ被測定者の生体情報を送信する生体情報送信ステップと、
サーバ装置へ送信されるべき生体情報のデータを、生体情報測定装置が当該生体情報を測定した、または、生体情報取得ステップにおいて当該生体情報を取得した、時刻と関連づけて記憶部に保持する記憶ステップと、
制御部が注意喚起のための情報を報知部に出力させる報知ステップと、
を実行させ、
報知ステップにおいて、制御部は、記憶部が２つ以上の送信されるべき生体情報のデータを保持している場合において、生体情報取得ステップで最後に取得した生体情報のデータについての上記時刻と、最後に取得した生体情報のデータの１つ前に取得した生体情報のデータについての上記時刻との間の時間間隔が所定値を超えている場合に、報知ステップにおいて注意喚起のための情報を報知部に出力させる
ことを特徴とする。
【００３１】
この発明の別の一態様による看護支援プログラムでは、看護支援端末装置を使用する看護師は、出力された注意喚起のための情報を通じて、看護支援端末装置内に、比較的長期にわたり未送信のままの状態におかれたデータが存在することを認識することができるようになる。また、看護支援端末装置は、未送信のデータが存在する場合であっても、未送信の状態に置かれている期間（１つ前の測定のデータが測定または取得されてから最後の測定のデータが測定または取得されるまでの期間）が所定値未満であれば、注意喚起のための情報の出力を行わない。そうすることによって、ユーザの使い勝手を向上させている。
【発明の効果】
【００３２】
以上より明らかなように、この発明の一態様による看護支援端末装置、看護支援システムならびに看護支援方法および看護支援プログラムによれば、測定者は、注意喚起のための情報を通じて、看護支援端末装置内にサーバへ送信されないままのデータが存在することを認識することができるようになる。
【図面の簡単な説明】
【００３３】
【図１】この発明の一実施形態による看護支援システムの構成を示すブロック図である。
【図２】この発明の一実施形態による看護支援端末装置の構成を示すブロック図である。
【図３】看護支援端末装置の表示例を示す図である。
【図４】この発明の一実施形態によるデータ収集サーバの構成を示すブロック図である。
【図５Ａ】データ収集サーバが保持する看護師データベースの例を示す図である。
【図５Ｂ】データ収集サーバが保持する患者データベースの例を示す図である。
【図６】生体情報収集の流れの概略を示すフローチャートである。
【図７】看護師の認証が完了したときの看護支援端末装置の表示例を示す図である。
【図８】患者の認証が完了したときの看護支援端末装置の表示例を示す図である。
【図９】看護師が患者の生体情報の測定を行う様子を示す模式図である。
【図１０Ａ】生体情報データの収集にかかる看護支援端末装置の処理を示すフローチャートである。
【図１０Ｂ】生体情報データの収集および患者データベースの更新にかかるデータ収集サーバの処理を示すフローチャートである。
【図１１】注意喚起情報の出力例を示す図である。
【発明を実施するための形態】
【００３４】
以下、この発明の実施の形態を、図面を参照しながら詳細に説明する。
【００３５】
本発明の実施形態による看護システムは、看護師等が使用して患者の生体情報（体温等）の測定データを収集する看護支援端末装置と、看護支援端末装置とデータ通信可能に接続され看護支援端末装置が収集した測定データを受け取って当該測定データを電子カルテに記録するデータ収集サーバとを有する。看護支援端末装置は、看護師や患者が装着したＩＣタグとの間でＲＦＩＤ通信を行って看護師およびこれから生体情報の測定を受ける患者を特定（認証）し、その後、体温計等の生体情報測定装置から測定データを取得する。取得された測定データ（体温等のデータ）は、一旦、看護支援端末装置の記憶装置に保持され、その後、看護師等の指示を受けてデータ収集サーバへ送信される。データ収集サーバは、受信した測定データを、特定された患者の電子カルテへ記録する。
【００３６】
上述したように看護支援端末装置は、生体情報測定装置から測定データを取得しても直ちにはデータ収集サーバへ送信しない。測定データのデータ収集サーバへの送信は、看護師等の指示を受けて初めて行われる。これは、看護師等が測定データに疑義を感じた場合に、生体情報の再測定が行われる点を考慮したものである。
【００３７】
しかしながら、看護師等が測定データのデータ収集サーバへの送信の指示を忘れ、続けて、別の患者の生体情報を測定してしまうようなケースが考えられる。そしてそのようなケースにおいて、看護支援端末装置による当該別の患者についての特定（認証）が機能しないようなケースも考えられない事例ではない。このように人為的なミスと、システム内の偶発的不具合が重なってしまうと、上記別の患者についてなされた生体情報の測定結果は、先の患者についての測定データ（上記再測定による測定データ）として取り扱われることとなり、結果として、データの取り違えが生じてしまう。
【００３８】
このようなケースに対応すべく、看護支援端末装置において、未送信の測定データが保持されている状況で新たな測定データが取得された場合に看護師等に対し注意喚起を促すメッセージを出力するようにすることが考えられる。しかしながら、そのような構成では、上述のように看護師等が測定データに疑義を感じた場合に行われる生体情報の再測定においても、頻繁に注意喚起を促すメッセージが出力されてしまう。そのようなメッセージは、看護師等にとって時に煩わしく感じられるとともに、業務効率を低下させてしまう。
【００３９】
そこで、本発明の実施形態による看護支援端末装置では、データ収集サーバへ送信されていない未送信の生体情報の測定データ（「送信されるべきデータ」）を２つ以上保持している場合において、最後に生体情報の測定データが測定または取得された時刻とその１つ前の測定データが測定または取得された時刻の間の時間間隔が所定値（予め定めた時間幅）を超えていれば、注意喚起のための情報を出力する。すなわち、当該看護支援端末装置では、上記の時間間隔が所定値を超えない場合は、注意喚起のための情報を出力しない。そうすることで、上記した再測定の蓋然性が高い状況では注意喚起のメッセージを出力せず、逆に上記の時間間隔が比較的長く、上述したような人為的なミス等が疑われる場合に、注意喚起のメッセージを出力する。そうすることにより、データの取り違えが未然に防止されると同時に業務効率の向上が実現される。
【００４０】
図１は、本発明の実施形態による看護支援システムを含む病院等の院内ネットワークの一例を示すブロック図である。図１を参照し、本発明の実施形態による看護支援システムの構成の概要を説明する。
【００４１】
看護支援システムは、看護師等が使用して患者等の生体情報（血圧、体温等）のデータを収集する端末装置１と、端末装置１とデータ通信可能に接続され端末装置１から生体情報のデータを取得し該生体情報のデータを電子カルテサーバ３ｓが管理する電子カルテに記録するデータ収集サーバ２と、看護師等に装着され、看護師等を識別するための識別情報をＲＦＩＤ通信により端末装置１へ送信する看護師ＩＤタグ５と、患者等に装着され、患者等を識別するための識別情報をＲＦＩＤ通信により端末装置１へ送信する患者ＩＤタグ７と、を有する。データ収集サーバ２は、後述するように、看護師および患者の認証のための機能も備える。端末装置１は、Ｗｉ−Ｆｉ通信により無線ＬＡＮアクセスポイント８と接続され、無線ＬＡＮアクセスポイント８を経由して院内ネットワーク９に接続されている。院内ネットワーク９には、これら端末装置１およびデータ収集サーバ２のほか、電子情報化されたカルテ（電子カルテ）を管理する電子カルテサーバ３ｓや、電子カルテサーバ３ｓにアクセスして電子カルテの情報を閲覧する電子カルテ閲覧端末装置３ｃや、端末装置１からの要求に応じて端末装置１の現在位置の情報を端末装置１に提供する位置情報サーバ４等が接続されている。
【００４２】
端末装置１は、本実施形態による看護支援端末装置である。端末装置１は、測定者である看護師等が装着する看護師ＩＤタグ５、および、被測定者である患者等が装着する患者ＩＤタグ７からそれぞれ、ＲＦＩＤ通信により、看護師識別情報（測定者を識別するための識別情報）および患者識別情報（被測定者を識別するための識別情報）を取得することができる。端末装置１は、取得した看護師識別情報および患者識別情報に基づいて、測定者および被測定者を特定する。より詳しくは、端末装置１は、先ず、取得した看護師識別情報および患者識別情報をデータ収集サーバ２へ送る。データ収集サーバ２は、受け取った情報に基づいて看護師または患者の認証を行い、認証の結果を端末装置１へ送信する。端末装置１は、データ収集サーバ２から返ってくる認証の結果に基づいて、データ測定を行う看護師およびデータが測定される患者を特定する。
【００４３】
看護師および患者が特定された状態において、端末装置１は、生体情報測定装置６から生体情報の測定データを受信する。具体的には、端末装置１は、体温計、血圧計、血糖計といった生体情報測定装置６から、体温、血圧、血糖値といった生体情報の測定データを、ＮＦＣ（Near Field Communication）通信により、取得する。端末装置１は、取得した生体情報の測定データを、表示部１３（図２）に表示し、測定者の指示に従って、測定者（看護師）および被測定者（患者）の情報とともにデータ収集サーバ２へ送る。
【００４４】
データ収集サーバ２は、測定者（看護師）および被測定者（患者）の情報ならびに生体情報の測定データを端末装置１から受け取ると、受け取った情報に基づいて電子カルテサーバ３ｓに対し電子カルテへの測定結果の記録を要求する。
【００４５】
電子カルテサーバ３ｓは、電子情報化されたカルテを管理するサーバである。電子カルテサーバ３ｓは、データ収集サーバ２からの要求に従い、被測定者の電子カルテに対し、測定データや測定者や時刻等といったデータを記録する。
【００４６】
看護師ＩＤタグ５は、記憶媒体、プロセッサ、および、無線通信用回路を有し、その記憶媒体に識別情報を保持するＲＦＩＤタグ（ＩＣタグ）である。本システムでは、当該識別情報を、看護師を識別するための情報（看護師識別情報（測定者識別情報））として使用する。看護師ＩＤタグ５は、職員証、リストバンド、バッジ等として看護師に装着可能である。看護師ＩＤタグ５は、端末装置１に内蔵または接続されたＲＦＩＤリーダ（第１無線通信モジュール（図２））からの電波を受信するとそれに対する応答として看護師識別情報を発信するパッシブタイプのＲＦＩＤタグである。看護師ＩＤタグ５は、例えば、端末装置１からおよそ１ｍの範囲内において、当該端末装置１のＲＦＩＤリーダ（第１無線通信モジュール（図２））と通信することができる。なお、看護師ＩＤタグ５は、アクティブタイプ、あるいは、セミアクティブタイプのＲＦＩＤタグでもよい。また、上記通信可能な範囲は、１ｍの範囲に限定されない。
【００４７】
患者ＩＤタグ７もまた、記憶媒体、プロセッサ、および、無線通信用回路を有し、その記憶媒体に識別情報を保持するＲＦＩＤタグ（ＩＣタグ）である。本システムでは、当該識別情報を、患者を識別するための情報（患者識別情報（被測定者識別情報））として使用する。患者ＩＤタグ７は、名札、リストバンド、バッジ等として患者に装着可能である。患者ＩＤタグ７は、看護師ＩＤタグ５同様、端末装置１のＲＦＩＤリーダ（第１無線通信モジュール（図２））からの電波を受信すると応答として患者識別情報を発信するパッシブタイプのＲＦＩＤタグである。患者ＩＤタグ７も、例えば、端末装置１からおよそ１ｍの範囲内において、当該端末装置１のＲＦＩＤリーダ（第１無線通信モジュール（図２））と通信することができる。なお、患者ＩＤタグ７もまた、アクティブタイプ、あるいは、セミアクティブタイプのＲＦＩＤタグでもよい。また、上記通信可能な範囲は、１ｍの範囲に限定されない。
【００４８】
生体情報測定装置６は、例えば、体温計、血圧計、血糖計、パルスオキシメータといった生体情報を測定するための装置である。生体情報測定装置６は、ＮＦＣ通信により、測定データを端末装置１へ送信する。なお、生体情報測定装置６と端末装置１との間の通信は、ＮＦＣでなくともよく、Ｂｌｕｅｔｏｏｔｈ（登録商標）といった通信規格であってもよい。また、生体情報測定装置６と端末装置１との間の通信は、通信ケーブル等を用いた有線接続により行ってもよい。
【００４９】
位置情報サーバ４は、端末装置１からの要求に応じて端末装置１の現在位置の情報を端末装置１へ提供するサーバ装置である。なお、端末装置１は、それが内蔵するＧＰＳモジュール１５（図２）の働きにより、自身の現在位置の情報を取得することも可能である。
【００５０】
図２を参照して端末装置１の構成について詳しく説明する。端末装置１は、所謂タブレット端末である。端末装置１は、制御部（ＣＰＵ）１１と、記憶部１２と、表示部１３と、操作部１４と、ＧＰＳ（Global Positioning System）モジュール１５と、第１無線通信モジュール１６と、第２無線通信モジュール１７と、第３無線通信モジュール１８とを有する。
【００５１】
制御部（ＣＰＵ）１１は、ＣＰＵ（Central Processing Unit；中央演算処理装置）およびその補助回路で構成され、端末装置１を構成する各部を制御し、記憶部１２に記憶されたプログラムおよびデータに従って各種の処理を実行する。すなわち、制御部（ＣＰＵ）１１は、操作部１４、ＧＰＳモジュール１５、第１無線通信モジュール１６、第２無線通信モジュール１７、第３無線通信モジュール１８等との間でデータのやりとりを行い、入力されたデータを処理し、処理したデータを、記憶部１２に記憶したり、表示部１３で表示したり、通信モジュール１６、１７、１８へ出力したりする。制御部（ＣＰＵ）１１は、１つまたは複数のプログラムをそれぞれ独立・並列的に随時実行することができ、それらプログラムを実行することによって、図６の各ステップに関連した処理や、図１０Ａに記載された処理を実行することができる。
【００５２】
なお、制御部１１の構成は、ＣＰＵおよびその周辺の補助回路に限定されない。制御部１１は、ＡＳＩＣ（Application Specific Integrated Circuit）や、ＦＰＧＡ（Field-Programmable Gate Array）のようなプログラマブルロジックデバイスや、マイクロコントローラ、といったプロセッサとして実装可能である。また、制御部１１の実装上の構成は上述した例に限定されない。
【００５３】
記憶部１２は、制御部（ＣＰＵ）１１が実行するプログラムを格納し、またプログラムを実行するために必要な作業領域として用いられる。記憶部１２は、生体情報測定装置６から取得した生体情報の測定データの保持にも使用される。記憶部１２は、取得した生体情報の測定データをその取得の時刻と関連づけて保持することができる。記憶部１２は、測定データが測定された時刻と関連づけて保持することもできる。記憶部１２は、例えば、ＲＡＭ（Random Access Memory）やＲＯＭ（Read Only Memory）といった記憶装置である。また、記憶部１２の記憶領域を補助するための補助記憶装置の記憶媒体として、半導体メモリ（メモリカード、ＳＳＤ（Solid State Drive））などを用いることができる。
【００５４】
表示部１３および操作部１４は、タッチパネル液晶ディスプレイとして一体的に構成される。つまりその場合、表示部１３は、文字および／または図形を表示することができる液晶ディスプレイにより構成され、操作部１４は、液晶ディスプレイの表示面上に形成されたタッチセンサである。
【００５５】
ＧＰＳモジュール１５は、ＧＰＳ衛星からの電波を受信して受信した電波に含まれる信号に基づいて現在位置を特定するためのモジュールである。
【００５６】
第１無線通信モジュール１６は、所謂ＲＦＩＤリーダを備えたモジュールである。第１無線通信モジュール１６は、看護師ＩＤタグ５および患者ＩＤタグ７との間でＲＦＩＤによる通信を行って、看護師ＩＤタグ５および患者ＩＤタグ７（ＲＦＩＤタグ）が保持する識別情報を取得する。
【００５７】
第２無線通信モジュール１７は、生体情報測定装置６との間で非接触近距離無線通信を行うためのＮＦＣモジュールである。ユーザが生体情報測定装置６を端末装置１（の第２無線通信モジュール１７）に近接させると、第２無線通信モジュール１７は、生体情報測定装置６との間で通信を行い、生体情報測定装置６に保持された生体情報の測定データを受信する。なお、生体情報測定装置６と端末装置１との間の通信は、ＮＦＣに限定されるものではない。
【００５８】
第３無線通信モジュール１８は、例えば病室やナースステーションに設置された無線ＬＡＮアクセスポイント８との間で無線データ通信を行うためのＷｉ−Ｆｉモジュールである。端末装置１は、第３無線通信モジュール１８を介して、院内ネットワーク９（図１）に接続される。
【００５９】
図３は、端末装置１を上から見たときの模式図である。タブレット端末で構成される端末装置１は、その上面にタッチパネル液晶ディスプレイ１３（１４）を備えており、これが端末装置１の表示部１３および操作部１４を構成する。図面中の表示部１３の下方には、第２無線通信モジュール１７が配されている。
【００６０】
看護師ＩＤタグ５を装着した看護師が端末装置１に近づくと、（およそ１ｍの範囲にあると、）端末装置１は、看護師ＩＤタグ５の存在を検出し、当該ＩＤタグ５から看護師識別情報を取得する。端末装置１は、看護師識別情報に基づいて（データ収集サーバ２に認証を要求して得た認証の結果に基づいて）、測定者である看護師を特定する。すると、特定された看護師の名前が、看護師氏名表示欄１０１に表示される。
【００６１】
端末装置１を携えた看護師が患者に近づくと、端末装置１は、患者ＩＤタグ７の存在を検出し、当該ＩＤタグ７から患者識別情報を取得する。端末装置１は、患者識別情報に基づいて（データ収集サーバ２に認証を要求して得た認証の結果に基づいて）、被測定者である患者を特定する。すると、特定された患者の名前が、患者氏名表示欄１０２に表示される。
【００６２】
生体情報測定装置６の１つである血圧計から、測定データ（血圧のデータ）を受信すると、端末装置１は、当該血圧の値を血圧値表示欄１０３および１０４に表示する。また、脈拍数が、脈拍数表示欄１０５に表示される。
【００６３】
生体情報測定装置６の１つである体温計が第２無線通信モジュール１７にかざされると、体温計から、ＮＦＣ通信によって、測定データ（体温のデータ）が端末装置１へ送信される。すると、端末装置１は、当該体温の値を体温表示欄１０６に表示する。
【００６４】
ＳｐＯ２表示欄１０７および血糖値表示欄１０８には、それぞれ、上述した体温計の場合と同様にして生体情報測定装置６の１つであるパルスオキシメータや血糖計から取得されたデータが表示される。
【００６５】
送信ボタン１４１は、操作部１４に含まれる操作ボタンである。看護師が送信ボタン１４１をタップすると、端末装置１は、生体情報測定装置６から取得した測定データを、看護師（測定者）の情報、および、患者（被測定者）の情報とともに、データ収集サーバ２へ送信する。
【００６６】
次に、データ収集サーバ２について説明する。図４は、データ収集サーバ２の構成を示すブロック図である。データ収集サーバ２は、制御部（ＣＰＵ）２１と、メモリ２２と、ネットワークインタフェース２４とを有する。
【００６７】
制御部（ＣＰＵ）２１は、ＣＰＵ（Central Processing Unit；中央演算処理装置）およびその補助回路で構成され、データ収集サーバ２を構成する各部を制御し、メモリ２２に記憶されたプログラムおよびデータに従って各種の処理を実行する。制御部（ＣＰＵ）２１は、１つまたは複数のプログラムをそれぞれ独立・並列的に随時実行することができ、それらプログラムを実行することによって、図６の各ステップに関連した処理や、図１０Ｂに記載された処理を実行することができる。
【００６８】
なお、制御部２１の構成は、ＣＰＵおよびその周辺の補助回路に限定されない。制御部２１は、ＡＳＩＣ（Application Specific Integrated Circuit）や、ＦＰＧＡ（Field-Programmable Gate Array）のようなプログラマブルロジックデバイスや、マイクロコントローラ、といったプロセッサとして実装可能である。また、制御部２１の実装上の構成は上述した例に限定されない。
【００６９】
メモリ２２は、制御部（ＣＰＵ）２１が実行するプログラムを格納し、またプログラムを実行するために必要な作業領域として用いられる。メモリ２２は、例えば、ＲＡＭ（Random Access Memory）やＲＯＭ（Read Only Memory）といった記憶装置である。また、記憶部１２の記憶領域を補助するための補助記憶装置の記憶媒体として、半導体メモリ（メモリカード、ＳＳＤ（Solid State Drive））などを用いることができる。
【００７０】
データ収集サーバ２は、上記したプログラムを実行することにより、端末装置１から送信される識別情報に基づいて、看護師や患者の認証を行う。また、データ収集サーバ２は、端末装置１から送信される測定データ等を受信し、受信した測定データに基づいて、電子カルテサーバ３ｓに対し、電子カルテへの測定データの記録を要求する。
【００７１】
さらに、データ収集サーバ２は、上記したプログラムを実行することにより、看護師データベース（測定者データベース）２３ｎ、および、患者データベース（被測定者データベース）２３ｐとして動作する。
【００７２】
図５Ａは、看護師データベース２３ｎに記録されるデータの例を示す図である。看護師データベース２３ｎは、看護師識別情報（識別子ＩＤ）と、看護師の名前等とを対応付けて記録するデータベースである。なお、看護師データベース２３ｎは、名前以外の看護師の情報を記録することも可能である。
【００７３】
図５Ｂは、患者データベース２３ｐに記録されるデータの例を示す図である。患者データベース２３ｐは、患者識別情報（識別子ＩＤ）と、患者の名前等とを対応付けて管理するデータベースである。なお、患者データベース２３ｐは、名前以外の患者の情報（性別、年齢等）を記録することも可能である。
【００７４】
以上のような構成を有する本実施形態による看護支援システムでは、端末装置１が、ＮＦＣ通信により、体温計等の生体情報測定装置６が測定した体温等の生体情報を取得し、端末装置１は、そのようにして取得した生体情報を、データ収集サーバ２へ送る。データ収集サーバ２は、看護師ＩＤタグ５および患者ＩＤタグ７により認証された看護師（測定者）および患者（被測定者）の情報を生体情報と関連づけて電子カルテサーバ３ｓへ送る。生体情報を受信した電子カルテサーバ３ｓは、患者（上記の被測定者）の電子カルテに生体情報の測定結果を記録する。生体情報の測定結果が記録された電子カルテは、電子カルテ閲覧端末装置３ｃを通じて、医師や看護師の閲覧に供される。
【００７５】
図６は、生体情報収集の流れの概略を示すフローチャートである。
【００７６】
看護師ＩＤタグ５を装着した看護師が端末装置１に近づくと、端末装置１の制御部１１は、識別情報取得部として動作して、看護師等が装着する看護師ＩＤタグ５から、ＲＦＩＤ通信により、看護師識別情報（測定者を識別するための識別情報）を取得する。制御部１１は、測定者特定部として動作して、取得した看護師識別情報に基づいて、測定者を特定する。より詳しくは、端末装置１は、取得した看護師識別情報をデータ収集サーバ２へ送り、データ収集サーバ２は、受け取った看護師識別情報をキーとして看護師データベース２３ｎを検索し、当該看護師識別情報に対応する看護師の情報（名前等）を取得して看護師を認証し、認証の結果を端末装置１へ送信する。端末装置１は、データ収集サーバ２から返ってくる認証の結果に基づいて、データ測定を行う看護師を特定する（ステップＳ１００）。図７は、このようにしてなされる看護師の認証後の端末装置１の表示の例を示す図である。同図に例示されるように、看護師の認証（特定）が成功すると、端末装置１の表示部１３の看護師氏名表示欄１０１に特定された看護師の氏名が表示される。
【００７７】
次に、端末装置１を携えた看護師が患者に近づくと、端末装置１の制御部１１は、識別情報取得部として動作して、患者等が装着する患者ＩＤタグ７から、ＲＦＩＤ通信により、患者識別情報（被測定者を識別するための識別情報）を取得する。制御部１１は、被測定者特定部として動作して、取得した患者識別情報に基づいて、被測定者を特定する。より詳しくは、端末装置１は、取得した患者識別情報をデータ収集サーバ２へ送り、データ収集サーバ２は、受け取った患者識別情報をキーとして患者データベース２３ｐを検索して当該患者識別情報に対応する患者の情報（名前等）を取得して患者を認証し、認証の結果を端末装置１へ送信する。端末装置１は、データ収集サーバ２から返ってくる認証の結果に基づいて、被測定者としての患者を特定する（ステップＳ２００）。図８は、このようにしてなされる患者の認証後の端末装置１の表示の例を示す図である。同図に例示されるように、患者の認証（特定）が成功すると、端末装置１の表示部１３の患者氏名表示欄１０２に特定された患者の氏名が表示される。
【００７８】
端末装置１は、自機の周囲に通信可能な看護師ＩＤタグ５や患者ＩＤタグ７が存在するか否かを、随時、反復的に探索し、看護師の認証（ステップＳ１００）にかかる処理、および、患者の認証（ステップＳ２００）にかかる処理を繰り返し実行する。
【００７９】
看護師（測定者）および患者（被測定者）が特定されている状態で、端末装置１は、体温計等の生体情報測定装置６から生体情報の測定データを取得する（ステップＳ３００）。
【００８０】
端末装置１は、ユーザ（看護師等）の指示を受けて、生体情報測定装置６から受信した測定データを、データ収集サーバ２へ送信する（ステップＳ４００）。データ収集サーバ２は、受信した測定データを、電子カルテに記録する。以上のようにして、患者から測定されたデータがデータ収集サーバ２へ送信され、電子カルテサーバ３ｓの電子カルテに記録される。
【００８１】
以下、図９、図１０Ａ、図１０Ｂ、および、図１１を参照し、端末装置１による生体情報測定データの取得（ステップＳ３００）から取得した測定データのデータ収集サーバ２への送信（ステップＳ４００）に至る処理の流れについて説明する。
【００８２】
図９は、携帯端末１を携えた看護師Ｎが１０１号病室に入室した状況を示す模式図である。同図で看護師Ｎは、ベッド１０１−３に横たわる患者の近くに立っている。このような状況では、端末装置１は、看護師Ｎの看護師ＩＤタグ５およびＡさんの患者ＩＤタグ７の存在を検知する。したがって、端末装置１は、看護師Ｎを測定者として特定し、患者Ａさんを被測定者として特定する。
【００８３】
看護師（測定者）および患者（被測定者）の特定がなされると、端末装置１は、生体情報測定装置６から患者の生体情報の測定データを受信し（図６におけるステップＳ３００）、受信した測定データをデータ収集サーバ２へ送信する（図６におけるステップＳ４００）ための処理を行う。このとき、端末装置１は、看護師からの指示を受けて、測定データをデータ収集サーバ２へ送信する。当該指示がなされるまで、測定データは、端末装置１の記憶部１２に保持される。端末装置１は、２つ以上の送信されるべき測定データが未送信の状態で記憶部１２に保持された場合において、最後に取得された測定データが測定または取得された時刻とその１つ前に取得された測定データが測定または取得された時刻の間の時間幅が所定の時間幅を超えていれば、注意喚起のための情報の出力を行う。以下でこれらの処理について説明を行う。なお、以下の説明では、事例として、患者Ａさんが被測定者として認証（特定）された状態で端末装置１が体温計（生体情報測定装置）から体温（生体情報）の測定データを受信し、さらに、当該測定データをデータ収集サーバ２へ送信しないうちにさらなる体温（生体情報）の測定データを生体情報測定装置から受信した状況を例としてあげる。
【００８４】
図１０Ａは、測定データの取得および送信の際に端末装置１がする処理のフローチャートを示す図である。ステップＳ４０１において、端末装置１の制御部１１は、データ送信の指示を受けたかどうかをチェックする。具体的には、端末装置１の制御部１１は、送信ボタン１４１（図３）がタップされたかどうかをチェックする。データ送信の指示を受けた場合（ステップＳ４０１における「ＹＥＳ」）、処理はステップＳ４０２へ進み、その時点で記憶部１２に保持されている測定データがデータ収集サーバ２へ送信される。データ送信の指示を受けていないと判断されると（ステップＳ４０１における「ＮＯ」）、処理は、ステップＳ３０１へ進む。
【００８５】
ステップＳ３０１において、端末装置１の制御部１１は、生体情報取得部として動作して、被測定者の生体情報を測定する生体情報測定装置６から被測定者の生体情報を取得する。例えば、看護師が、体温計を用いて患者（Ａさん）の体温を計測し、計測が完了した体温計を、端末装置１の第２無線通信モジュール１７に近接させると、端末装置１は、ＮＦＣ通信により、体温計から体温のデータをＡさんのデータとして取得する。
【００８６】
なお、生体情報のデータの取得は、上述したＮＦＣ通信による手法に限定されない。例えば、看護師が血圧計や巻き尺などを使用して患者の血圧や腹囲などを計測し、計測値を看護師が直接端末装置１に入力してもよい。
【００８７】
端末装置１の制御部１１は、継続的に第２無線通信モジュール１７に近接する生体情報測定装置６の有無をチェックし続けるとともに、ステップＳ３０２において、ステップＳ３０１で取得した測定データ（「最初の体温の測定データ」）をメモリ（記憶部１２）に格納する。これにより、最初の体温の測定データは、記憶部１２、送信待ちデータとして保持される。
【００８８】
ステップＳ３０３において、端末装置１の制御部１１は、ステップＳ３０１で測定データ（最初の体温の測定データ）を取得した時刻を、当該測定データと関連づけて記憶部１２に記録する。
【００８９】
なお、端末装置１の制御部１１は、ステップＳ３０３において、生体情報測定装置６が生体情報を測定した時刻を、当該測定データと関連づけて記憶部１２に記録してもよい。この場合、端末装置１は、生体情報測定装置６から、生体情報を測定した時刻に関する情報を取得すればよい。あるいは、端末装置１は、生体情報測定装置６において測定データが生成された時刻に関する情報を生体情報測定装置６から取得し、当該時刻を、生体情報を測定した時刻をみなして当該測定データと関連づけて記憶部１２に記録してもよい。その場合には、端末装置１は、生体情報測定装置６において測定データが生成された時刻に関する情報を測定データの属性情報等から取得してもよい。
【００９０】
ステップＳ３０４において、端末装置１の制御部１１は、複数の送信待ちデータ（未送信データ）が保持されているかどうかチェックする。複数の送信待ちデータ（未送信データ）が保持されていれば（ステップＳ３０４における「ＹＥＳ」）、処理は、ステップＳ３０５へ進む。そうでない場合、処理はステップＳ４０１へ戻る。
【００９１】
上で述べた事例では、最初の体温の測定データが取得された時点で、送信待ち（未送信）の測定データは、当該最初の体温の測定データの１つのみである。よって、処理は、ステップＳ４０１へ戻る。
【００９２】
その後、最初の体温の測定データがデータ収集サーバ２へ送信されないうちに、時間をあけてもう一度体温が測定されると、端末装置１は、さらなる体温の測定データ（「後の体温の測定データ」）を受信する（ステップＳ３０１における「ＹＥＳ」）。ここで、最初の体温の測定データの受信の時刻から後の体温の測定データの受信の時刻までの時間間隔は、例えば、１０分間であったとする。
【００９３】
後の体温の測定データを受信した端末装置１は、続くステップＳ３０２およびステップＳ３０３において、後の体温の測定データを、当該データを受信した時刻または測定された時刻と関係づけて、記憶部１２に格納する。
【００９４】
端末装置１は、「後の体温の測定データ」を取得した後のステップＳ３０４において、「最初の体温の測定データ」と「後の体温の測定データ」の２つの測定データが送信待ち状態（未送信状態）にあることを認識し、複数の送信待ちデータが保持されていると判断し（ステップＳ３０４における「ＹＥＳ」）、処理をステップＳ３０５へ進める。
【００９５】
ステップＳ３０５において、端末装置１の制御部１１は、最後にステップＳ３０１において測定データを取得した時刻「最後の受信時刻」（またはデータが測定された時刻）と、当該測定データよりも前にステップＳ３０１で取得され記憶部１２に保持されている（データ収集サーバ２へ未だ送信されていない）測定データを受信した時刻「１つ前の受信時刻」（またはデータが測定された時刻）との時間間隔が、閾値（予め定められた時間幅、例、３分間）以上であるか否かをチェックする。上記の時間間隔が閾値以上である場合（ステップＳ３０５における「ＹＥＳ」）、処理は、ステップＳ３０６へ進む。上記の時間間隔が閾値以上でない場合（ステップＳ３０５における「ＮＯ」）、処理は、ステップＳ４０１へ戻る。
【００９６】
上述の事例では、ステップＳ３０５においては、端末装置１の制御部１１は、後の体温の測定データを受信した時刻（「最後の受信時刻」）と、１つ前に受信した測定データ（最初の体温の測定データ）を受信した時刻（「１つ前の受信時刻」）との時間間隔が、閾値（例、３分間）以上であるか否かをチェックする。本事例では、時間間隔は１０分間であるため、処理は、ステップＳ３０６へ進む。なお、本ステップの閾値は、３分に限定されない。例えば、閾値は、３分以上の任意の値でよい。また、３分未満の任意の値（１分等）でもよい。
【００９７】
ステップＳ３０６において、端末装置１の制御部１１は、１つ前の体温（生体情報）の測定データの受信時において被測定者として特定されていた患者と、最後の体温（生体情報）の測定データの受信時において被測定者として特定されていた患者とが同一であるか否か判断する。つまり、最初の生体情報の測定と後の生体情報の測定との間に、被測定者である患者が変化していないかどうかが判断される。両者は同一であると判断された場合（ステップＳ３０６における「ＹＥＳ」）、処理は、ステップＳ３０７へ進む。同一でないと判断された場合（ステップＳ３０６における「ＮＯ」）、処理は、ステップＳ４０１へ戻る。本事例では、両測定データの受信時に、患者Ａさんが被測定者として特定されていた。よって、処理は、ステップＳ３０７へ進む。
【００９８】
ステップＳ３０７において、端末装置１の制御部１１は、先に受信した測定データの測定項目（本事例では「体温」）と、後に受信した測定データの測定項目（本事例では「体温」）とが同一項目であるか否か判断する。両者は同一であると判断された場合（ステップＳ３０７における「ＹＥＳ」）、処理は、ステップＳ３０８へ進む。同一でないと判断された場合（ステップＳ３０７における「ＮＯ」）、処理は、ステップＳ４０１へ戻る。本事例では、両測定データはいずれも「体温」の測定データであるので、同一の測定項目であると判断され、処理は、ステップＳ３０８へ進む。
【００９９】
なお、ステップＳ３０６の処理、および、ステップＳ３０７の処理は、任意である。つまり、ステップＳ３０６およびステップＳ３０７の少なくともいずれか一方または両方は、本実施形態による端末装置１において省略されてもよい。例えば、両者が省略される場合、端末装置１は、ステップＳ３０５において「ＹＥＳ」の場合、次に、ステップＳ３０８の処理を行えばよい。
【０１００】
ステップＳ３０８において、端末装置１の制御部１１は、報知部である表示部１３に、注意喚起のための情報（注意喚起メッセージ）を表示させる。すなわち、表示部１３は、注意喚起メッセージを出力する報知部として動作する。なお、注意喚起メッセージの出力は、表示部１３への表示に限定されない。例えば、端末装置１は、注意喚起メッセージとして音を出力してもよい。
【０１０１】
図１１は、ステップＳ３０８での処理により表示部１３に表示される画面の例である。この例では、端末装置１は、注意喚起メッセージ１０９を通じて、看護師に、比較的長い期間（３分以上の期間）をおいてＡさんの体温が二回測定されたことを示している。なお、この注意喚起メッセージの表示は、看護師がメッセージ１１１ａの範囲内をタップすると消去される。注意喚起メッセージの表示がキャンセルされると、処理は、ステップＳ４０１へ戻る。
【０１０２】
ステップＳ４０１において、端末装置１の制御部１１は、データ送信の指示の入力の有無をチェックする。ここでのデータ送信の指示の入力は、例えば、看護師が、送信ボタン１４１（図３）をタップすることによりなされればよい。
【０１０３】
端末装置１に対しデータ送信の指示が入力されると（ステップＳ４０１における「ＹＥＳ」）、制御部１１は、生体情報送信部として動作して、データ収集サーバ２へ被測定者の生体情報の測定データを送信する（ステップＳ４０２）。このとき、制御部１１は、測定データとともに、測定者である看護師の情報（氏名等）と、被測定者である患者の情報（氏名等）とを、データ収集サーバ２へ送信する。本事例では、看護師が、注意喚起メッセージを通じて、患者Ａさんの体温を２回測定したことが事実と相違しないことを確認したため、端末装置１は、データ収集サーバ２に対し、最初の体温の測定データおよび後の体温の測定データを、患者Ａさんについての測定データとして、送信する。
【０１０４】
図１０Ｂは、データ収集サーバ２が端末装置１から測定データ等を受信したときにする処理のフローチャートである。
【０１０５】
ステップＳ４１１において、データ収集サーバ２の制御部２１は、端末装置１から測定データを受信したかどうかをチェックする。測定データが受信された場合（ステップＳ４１１における「ＹＥＳ」）、処理は、ステップＳ４１２へ進む。
【０１０６】
ステップＳ４１２において、制御部２１は、受信した測定データを、測定者および被測定者の情報とともに、電子カルテサーバ３ｓへ送信し、電子カルテサーバ３ｓに対し当該測定データ等の電子カルテへの記録を要求する。
【０１０７】
要求を受けた電子カルテサーバ３ｓは、測定データを、被測定者の電子カルテに記載する処理を行う。以上により、測定データの電子カルテへの記録が完了する。
【０１０８】
以上、ここまで説明したように、本実施形態による看護システムにおいては、ＩＣタグを用いた個人認証により、看護師および患者の認証および特定を迅速に行うことができる。さらに、本システムの端末装置１は、データ収集サーバ２へ送信されるべき未送信の生体情報のデータを保持している状態でさらに別の生体情報のデータを取得した場合において未送信の生体情報のデータが測定または取得された時刻とさらに別の生体情報のデータが測定または取得された時刻の間の時間間隔が予め定めた時間幅（例、３分間、５分間等）を超えている場合に、注意喚起のための情報を出力する。このような構成により、看護師は、端末装置１内に取得してから比較的長期にわたり未送信のままの状態に置かれたデータが存在することを認識することができるようになる。また、看護支援端末装置は、未送信のデータが存在する場合であっても、未送信の状態に置かれている期間（先の測定のデータが測定または取得されてから次の測定のデータが測定または取得されるまでの期間）が比較的短期間であれば、注意喚起のための情報の出力を行わない。その理由は、臨床現場では、生体情報の測定結果に疑義が生じた場合に生体情報の再測定が頻繁に行われるからである。そのようなケースでは、先の測定と次の測定との時間間隔は比較的短いと考えられる。そのため、端末装置１は、複数の未送信のデータが存在する場合であっても先に取得されたデータが未送信の状態に置かれている期間が予め定めた時間幅（例、３分間、５分間等）未満であるときは注意喚起のための情報の出力を行わないこととし、そうすることによって、ユーザの使い勝手を向上させ、同時に業務効率の向上を図っている。
【０１０９】
本実施形態による看護システムにおいては、任意的にステップＳ３０６（図１０Ａ）の処理を行うことにより、先の測定のデータ（未送信）が測定または取得されてから次の測定のデータが測定または取得されるまでの期間が所定値を超えている場合において、先の測定と次の測定とが共に被測定者特定部が特定した同一の被測定者についてなされた測定である場合に、注意喚起のための情報が出力される。上述したように、同一の被測定者に対してデータの再測定が試みられたとすれば、先の測定と次の測定との時間間隔は比較的短いと考えられる。したがって、（被測定者特定部が特定した）同一の被測定者について測定されたにもかかわらず上記の時間間隔が比較的長い場合、２つの測定は、実際には、相異なる被測定者についてなされた２つの測定である可能性がある。つまり、ユーザが先の測定のデータの送信を忘れ、さらに、後の測定に際し被測定者特定部による被測定者の特定が正しくなされなかった可能性がある。そこで、端末装置１は、注意喚起の情報を出力する。逆に、未送信の生体情報のデータ（先の測定のデータ）およびさらに別の生体情報のデータ（次の測定のデータ）がそれぞれ別々の被測定者について測定された生体情報のデータであれば、看護支援端末装置は、両データの取得の時間間隔が所定値を超えている場合においても、注意喚起のための情報を出力しない。そうすることによって、注意喚起の情報が頻繁に出力されることを回避して、ユーザの使い勝手を向上させている、同時に業務効率の向上を図っている。
【０１１０】
本実施形態による看護システムにおいては、任意的にステップＳ３０７（図１０Ａ）の処理を行うことにより、先の測定のデータ（未送信）が取得されてから次の測定のデータが取得されるまでの期間が所定値を超えている場合において、先の測定の測定項目と次の測定の測定項目とが同一の測定項目である場合にのみ、注意喚起のための情報が出力される。２つの測定の測定項目が同一であることから、上述のデータの再測定が行われた蓋然性が極めて高い。にもかかわらず上記の時間間隔が比較的長い場合、ユーザの送信指示忘れ、および、患者の認証が正しくなされなかったことが疑われる。そこで、看護支援端末装置は、注意喚起の情報を出力する。逆に、先の測定の測定項目および次の測定の測定項目が異なる場合には、看護支援端末装置は、両データの取得の時間間隔が所定値を超えている場合においても、注意喚起のための情報を出力しない。なぜなら、異なる測定項目を測定するためにユーザ（看護師）が測定機器を準備するのに比較的長い時間を要したことが考えられるからである。このようにして、看護支援端末装置では、注意喚起の情報が頻繁に出力されることを回避して、ユーザの使い勝手を向上させている、同時に業務効率の向上を図っている。
【０１１１】
上記実施形態においては、端末装置１は、所謂タブレット端末として説明した。しかしながら、端末装置１は、タブレット端末に限定されない。端末装置１は、例えば、デスクトップ・コンピュータ、ラップトップ・コンピュータ、ノートブック・コンピュータ、ポケット・コンピュータ、ラグドコンピュータ(rugged computer)、スマートデバイス（スマートフォン、スマートウォッチ、スマートグラス）、ウェアラブルコンピュータ、携帯電話、携帯情報端末（ＰＤＡ）等であってもよく、また、これらに限定されない。
【０１１２】
上記実施形態においては、看護師ＩＤタグ５および患者ＩＤタグ７は、ＩＣタグ（ＲＦＩＤタグ）であるとして説明した。しかしながら、看護師ＩＤタグ５および患者ＩＤタグ７は、ＩＣタグに限定されない。看護師ＩＤタグ５および患者ＩＤタグ７は、様々な通信方式で識別情報を端末装置１へ送信できる機器であってよい。様々な通信方式とは、例えば、ＩＳＯ／ＩＥＣ７８１６、ＩＳＯ／ＩＥＣ１０５３６、ＩＳＯ／ＩＥＣ１４４４３、ＩＳＯ／ＩＥＣ１８０９２、ＩＳＯ／ＩＥＣ１５６９３、マイクロ波を利用した遠隔型非接触通信、ＩＥＥＥ８０２．１１  ａ／ｂ／ｇ／ｎ、Ｂｌｕｅｔｏｏｔｈ等であってよく、また、これらに限定されない。また、看護師ＩＤタグ５および患者ＩＤタグ７と端末措置１との通信は、有線接続された信号線を介してなされてもよい。また、看護師ＩＤタグ５および患者ＩＤタグ７は、バーコード、二次元バーコード（ＱＲコード（登録商標））でもよい。
【０１１３】
生体情報測定装置６は、血圧計、体温計、パルスオキシメータ、血糖計、体重計、体組成計を含み、これらに限定されない。生体情報測定装置６によって測定される生体情報は、血圧、脈拍数、体温、酸素飽和度、血糖値、体重、体脂肪率を含み、これらに限定されない。上記実施形態においては、生体情報測定装置６は、ＮＦＣ通信を行って、端末装置１へ測定データを転送するとして説明した。しかしながら、生体情報測定装置６と端末装置１との通信は、ＮＦＣ通信に限定されない。通信方式は、例えば、ＩＳＯ／ＩＥＣ７８１６、ＩＳＯ／ＩＥＣ１０５３６、ＩＳＯ／ＩＥＣ１４４４３、ＩＳＯ／ＩＥＣ１８０９２、ＩＳＯ／ＩＥＣ１５６９３、マイクロ波を利用した遠隔型非接触通信、ＩＥＥＥ８０２．１１  ａ／ｂ／ｇ／ｎ、Ｂｌｕｅｔｏｏｔｈ等であってよく、また、これらに限定されない。また、生体情報測定装置６と端末措置１との通信は、有線接続された信号線を介してなされてもよい。
【符号の説明】
【０１１４】
１  ：看護支援端末装置
２  ：データ収集サーバ
３ｓ：電子カルテサーバ
３ｃ：電子カルテ閲覧端末装置
４  ：位置情報サーバ
５  ：看護師ＩＤタグ
６  ：生体情報測定装置
７  ：患者ＩＤタグ
８  ：無線ＬＡＮアクセスポイント
９  ：ネットワーク
１１  ：制御部（ＣＰＵ）
１２  ：記憶部
１３  ：表示部
１４  ：操作部
１５  ：ＧＰＳモジュール
１６  ：第１無線通信モジュール
１７  ：第２無線通信モジュール
１８  ：第３無線通信モジュール
２１  ：制御部（ＣＰＵ）
２２  ：メモリ
２３ｎ：看護師データベース
２３ｐ：患者データベース
２４  ：ネットワークインタフェース
１０１  ：看護師氏名表示欄
１０２  ：患者氏名表示欄
１０３  ：血圧値表示欄
１０４  ：血圧値表示欄
１０５  ：脈拍数表示欄
１０６  ：体温表示欄
１０７  ：ＳｐＯ２表示欄
１０８  ：血糖値表示欄
１０９  ：注意喚起メッセージ
１４１  ：送信ボタン
【図１】
0006522335.tif 000002
【図２】
0006522335.tif 000003
【図３】
0006522335.tif 000004
【図４】
0006522335.tif 000005
【図５Ａ】
0006522335.tif 000006
【図５Ｂ】
0006522335.tif 000007
【図６】
0006522335.tif 000008
【図７】
0006522335.tif 000009
【図８】
0006522335.tif 000010
【図９】
0006522335.tif 000011
【図１０Ａ】
0006522335.tif 000012
【図１０Ｂ】
0006522335.tif 000013
【図１１】
0006522335.tif 000014